(57)【要約】  本発明は、硬度および弾性がそれぞれ異なるポリウレタンフォームからなる複数個の単位フォームブロックが連続発泡工程によりフォームマットレスの長さ方向に沿って一体型に形成されたフォームマットレスを成形することを特徴とする連続発泡工程による多硬度・多弾性フォームマットレスの製造方法、およびその方法により製造されるフォームマットレスに関し、フォームマットレスの製造方法が簡単であって生産性が高く、フォームマットレスの耐久性に優れて最適の体圧分散と体型維持の効果を実現することで、筋電図を低めて血流を改善することができ、熟眠の維持、筋肉の柔軟性の確保、骨格の理想的形態の維持に寄与するとともに、フォームマットレスの長さ方向に沿って中央部に位置した単位フォームブロックを中心として対称する部分に位置したゾーン（ｚｏｎｅ）の単位フォームブロックが同一の硬度および弾性を有するようにすることで、フォームマットレスの位置を逆に変更して使用可能とする効果がある。【選択図】図７
2019528800.tif 000002
【特許請求の範囲】
【請求項１】
連続発泡工程により複数個の単位フォームブロックが一体型に形成される多硬度・多弾性フォームマットレスの製造方法において、
成形プレート（１０）の一側端部に複数個のノズル（２０）を配置するステップと、
前記成形プレート（１０）に配置された各ノズル（２０）の間に分離壁（３０）を設置するステップと、
前記成形プレート（１０）の上部に離型紙（４０）を積層するステップと、
前記ノズル（１０）から噴射される発泡液（５０）の移動速度に対応して、離型紙（４０）が成形プレート（１０）の他側端部の方向に移動する発泡液噴射ステップと、
複数個の単位フォームブロック（６０）が、それぞれ異なる多硬度・多弾性を有する複数個のゾーン（ｚｏｎｅ）を成して一体型に形成されるように発泡成形するステップと、
を含んで構成されることを特徴とする連続発泡工程による多硬度・多弾性フォームマットレスの製造方法。
【請求項２】
前記単位フォームブロック（６０）はポリウレタンフォームからなることを特徴とする請求項１に記載の連続発泡工程による多硬度・多弾性フォームマットレスの製造方法。
【請求項３】
前記複数個の単位フォームブロック（６０）は５個〜９個であることを特徴とする請求項１に記載の連続発泡工程による多硬度・多弾性フォームマットレスの製造方法。
【請求項４】
前記フォームマットレス（１００）は、長さ方向に沿って中央部に位置した単位フォームブロック（６０）のゾーン（ｚｏｎｅ）を中心として、フォームマットレス（１００）の長さ方向に沿って左右に配列されたそれぞれ異なる硬度および弾性を有する単位フォームブロックのうち、互いに対向して対称する部分に位置したゾーン（ｚｏｎｅ）の単位フォームブロック（６０）が、同一の硬度および弾性を有するように構成されることを特徴とする請求項１に記載の連続発泡工程による多硬度・多弾性フォームマットレスの製造方法。
【請求項５】
請求項１から請求項４のいずれかに記載の方法によって連続発泡工程により複数個の単位フォームブロックが一体型に成形されて製造されることを特徴とする多硬度・多弾性フォームマットレス。
【発明の詳細な説明】
【技術分野】
【０００１】
本発明は、硬度および弾性がそれぞれ異なるポリウレタンフォームからなる複数個の単位フォームブロックが連続発泡工程によりフォームマットレスの長さ方向に沿って一体型に形成されたフォームマットレスを成形することで、フォームマットレスの製造方法が簡単であって生産性が高く、フォームマットレスの耐久性に優れて最適の体圧分散と体型維持の効果が実現可能であるとともに、フォームマットレスの長さ方向に沿って中央部に位置した単位フォームブロックを中心として対称する部分に位置したゾーン（ｚｏｎｅ）の単位フォームブロックが同一の硬度および弾性を有するようにすることで、フォームマットレスの位置を逆に変更して使用可能としたことを特徴とする、連続発泡工程による多硬度・多弾性フォームマットレスの製造方法、およびその方法により製造されるフォームマットレスに関する。
【背景技術】
【０００２】
近年、現代人は、交通手段の変化、セルフ運転、コンピュータの使用、テレビ視聴、競争的な学業または単純な繰り返し作業などのような生活方式の急激な変化により、頚椎と脊椎疾患が老若男女を問わず急激に増加している。特に、脊椎は、我が身の中央に位置して体重を支え、中枢神経である脊髄を保護する作用をする重要な身体組織であって、穏やかなＳ字状を呈する脊柱、腰を支える腰椎、椎骨（ｖｅｒｔｅｂｒａｅ）と椎骨とを連結する椎間板、およびこれらを囲んでいる靱帯などからなっている。
【０００３】
一方、上記のような頚椎と脊椎疾患の予防管理のために、運動前の事前準備運動、正しい姿勢の維持および腰の筋肉強化に役に立つ持続的な運動、休息とストレッチングなどが進まれており、他の代案として、睡眠中に正しい姿勢が維持されるようにする寝具（ｂｅｄｄｉｎｇ）の選択が浮かび上がっている。睡眠は、同じ姿勢を最も長時間維持する行為であり、日中に硬直していた腰筋肉と靱帯を和らぎ、圧迫されていた骨を弛緩させて骨格の形態をきちんと支えることのできるマットレスの開発が、何より重要な課題と言える。
【０００４】
したがって、人体の各部位毎の体型特性を考慮し、マットレスの各領域毎に硬度と弾性をそれぞれ異ならせたマットレスの開発が活発に行われている。上記のように人体の各部位毎の体型に応じて、マットレスの各領域毎に硬度および弾性を異ならせて設定する場合、腰椎および胸椎屈曲を理想的に支持して最適の筋電図値を維持することができ、臀部を圧迫して弾性指示し、踵の陥凹と、大腿と下腿部位の体圧分散と体型維持を誘導することで、熟眠はいうまでもなく、間違った姿勢によって生じる筋骨格疾患の発生要因を睡眠中に自然に解消、矯正できるだけでなく、上記のような最適の体圧分散により、日中に硬直していた筋肉と靱帯を和らぎ、日中の活動によって圧迫されていた骨格を弛緩させることにより、筋肉の柔軟性を回復させることができる。
【０００５】
上記のような効果を実現するために、各領域毎に硬度および弾性を異ならせて設定した開発初期のマットレスの従来技術として、特開平８‐２２８８９１号公報（１９９６年９月１０日公開）に開示された発明は、３個の単位ブロックからなるスリーゾーン（３  ｚｏｎｅ）ウレタンマットレス（ｔｈｒｅｅ‐ｚｏｎｅ  ｕｒｅｔｈａｎｅ  ｍａｔｔｒｅｓｓ）に関するものであって、その構造は、図１に示されたように、貫通孔１３が最も密となるように形成された臀部クッション体１１ｂと、貫通孔１３が臀部クッション体１１ｂに比べて密ではない上部および下部クッション体１１ａ、１１ｃと、の３個の単位ブロックからなっている。
【０００６】
そして、近年、５個の単位ブロックからなるファイブゾーン（５  ｚｏｎｅ）マットレスが開発されている。米国特許出願公開第２０１２‐０２６０４２０号明細書（２０１２年１０月１８日公開）は、ベッディング装置およびベッドを形成する改善された方法に関するものであって、図２に示されたように、マットレス内に所定の圧縮弾性を有する挿入物を挿入することで、各領域毎に異なる弾性を有することを特徴とするマットレスに関する発明である。また、韓国登録特許第１０‐１７０７７１３号公報（２０１７年２月１０日登録）の互いに異なる弾性変形度を有する複数種類のポケットスプリングを含むマットレスは、互いに異なる弾性変形度を有するファイブゾーン（５  ｚｏｎｅ）マットレスに関するものであって、図３に示されたように、各単位ブロック毎に、マットレス内に互いに異なる弾性変形度を有する複数種類のポケットスプリングを内蔵させたマットレスに関する発明である。さらに、韓国登録特許第１０‐１２０５８２４号公報（２０１２年１１月２２日登録）は、多硬度・多弾性マットレスの製造方法に関するものであって、本発明者が開発し登録を受けた特許であり、硬度および弾性がそれぞれ異なる第１ブロック、第２ブロック、および第３ブロックを用い、第１ブロックと第２ブロック、および第２ブロックと第３ブロックを一定間隔で離隔させて発泡金型内に配置し、離隔空間の間に発泡液を注入することで、第４ブロックおよび第５ブロックが第１ブロック、第２ブロック、および第３ブロックの間の空間で一体型に成形されるようにする、ファイブゾーン（５  ｚｏｎｅ）構造を有するマットレスの製造方法に関する発明である。
【０００７】
しかし、上記の特開平８‐２２８８９１号公報（１９９６年９月１０日公開）のマットレスは、臀部を中心として人の上体部分と下体部分のみを考慮し、マットレスを長さ方向に３個の単位ブロックで構成したスリーゾーン（３  ｚｏｎｅ）マットレスであり、上記の米国特許出願公開第２０１２‐０２６０４２０号明細書（２０１２年１０月１８日公開）は、ベッディング装置およびベッドを形成する改善された方法であり、韓国登録特許第１０‐１７０７７１３号公報（２０１７年２月１０日登録）は、互いに異なる弾性変形度を有する複数種類のポケットスプリングを含むマットレスであり、韓国登録特許第１０‐１２０５８２４号公報（２０１２年１１月２２日登録）の多硬度・多弾性マットレスの製造方法によるマットレスは、５個の単位ブロックからなるファイブゾーン（５  ｚｏｎｅ）マットレスであって、人体の頭、首、肩、腰、臀部、大腿および下腿部分による各荷重を考慮しておらず、人体工学的に不適切に設計された構造を有するという問題があり、各単位ブロック毎にそれぞれ弾性が異なるため、マットレスの位置を逆に変更して使用することが不可能であるという問題があった。
【０００８】
したがって、近年、上記のような問題を改善するための方法として、人体の頭、首、肩、腰、臀部、大腿、および下腿部分による各荷重を考慮して設計したマットレスとして、７個の単位ブロックからなるセブンゾーン（７  ｚｏｎｅ）マットレスが流行している。かかる構造のマットレスとして、韓国登録特許第１０‐１７３４０２８号公報（２０１７年５月１日登録）のセブンゾーン（７  ｚｏｎｅ）マットレスは、図５に示されたように、マットレス内に互いに異なる弾性変形度を有するスプリングを内蔵させたマットレスである。上記のような構造を有するマットレスは、多数のスプリング部材を用いるため、その構造および製造方法が複雑であるだけでなく、高価のスプリング部材の使用によって製造コストおよび販売単価が上昇するという問題があった。
【先行技術文献】
【特許文献】
【０００９】
【特許文献１】特開平８‐２２８８９１号公報
【特許文献２】米国特許出願公開第２０１２‐０２６０４２０号明細書
【特許文献３】韓国登録特許第１０‐１７０７７１３号公報
【特許文献４】韓国登録特許第１０‐１２０５８２４号公報
【発明の概要】
【発明が解決しようとする課題】
【００１０】
したがって、本発明は、上記のような問題を解決するための方法として、硬度および弾性がそれぞれ異なるポリウレタンフォームからなる複数個の単位フォームブロックが連続発泡工程によりフォームマットレスの長さ方向に沿って一体型に形成されたフォームマットレスを成形することで、フォームマットレスの製造方法が簡単であって生産性が高く、フォームマットレスの耐久性に優れて最適の体圧分散と体型維持の効果が実現可能であることを特徴とする、連続発泡工程による多硬度・多弾性フォームマットレスの製造方法、およびその方法により製造されるフォームマットレスを提供することを課題とする。
【００１１】
また、本発明は、フォームマットレスの単位フォームブロックの個数が５個〜９個であることが好ましく、フォームマットレスの長さ方向に沿って中央部に位置した単位フォームブロックを中心として対称する部分に位置したゾーン（ｚｏｎｅ）の単位フォームブロックが同一の硬度および弾性を有するようにすることで、フォームマットレスの位置を逆に変更して使用可能としたことを特徴とする、連続発泡工程による多硬度・多弾性フォームマットレスの製造方法、およびその方法により製造されるフォームマットレスを提供することを他の課題とする。
【課題を解決するための手段】
【００１２】
前記課題を解決するための本発明は、連続発泡工程により複数個の単位フォームブロックが一体型に形成される多硬度・多弾性フォームマットレスの製造方法において、成形プレート１０の一側端部に複数個のノズル２０を配置するステップと、前記成形プレート１０に配置された各ノズル２０の間に分離壁３０を設置するステップと、前記成形プレート１０の上部に離型紙４０を積層するステップと、前記ノズル１０から噴射される発泡液５０の移動速度に対応して、離型紙４０が成形プレート１０の他側端部の方向に移動する発泡液噴射ステップと、複数個の単位フォームブロック６０が、それぞれ異なる多硬度・多弾性を有する複数個のゾーン（ｚｏｎｅ）を成して一体型に形成されるように発泡成形するステップと、を含んで構成されることを特徴とする連続発泡工程による多硬度・多弾性フォームマットレスの製造方法を課題の解決手段とする。
【００１３】
また、本発明は、前記方法によって連続発泡工程により前記複数個の単位フォームブロック６０が一体型に成形されて製造されることを特徴とする多硬度・多弾性フォームマットレスを他の課題の解決手段とする。
【００１４】
また、本発明で、前記単位フォームブロック６０はポリウレタンフォームからなり、前記複数個の単位フォームブロック６０は５個〜９個であり、前記フォームマットレス１００は、長さ方向に沿って中央部に位置した単位フォームブロック６０のゾーン（ｚｏｎｅ）を中心として、フォームマットレス１００の長さ方向に沿って左右に配列されたそれぞれ異なる硬度および弾性を有する単位フォームブロックのうち、互いに対向して対称する部分に位置したゾーン（ｚｏｎｅ）の単位フォームブロック６０が、同一の硬度および弾性を有するように構成されることを特徴とする。
【発明の効果】
【００１５】
上記の課題解決手段による本発明は、硬度および弾性がそれぞれ異なるポリウレタンフォームからなる複数個の単位フォームブロックが連続発泡工程によりフォームマットレスの長さ方向に沿って一体型に形成されたフォームマットレスを成形することで、フォームマットレスの製造方法が簡単であって生産性が高く、フォームマットレスの耐久性に優れて最適の体圧分散と体型維持の効果が実現され、筋電図を低めて血流を改善することができ、熟眠の維持、筋肉の柔軟性の確保、骨格の理想的形態の維持に寄与し、フォームマットレスの長さ方向に沿って中央部に位置した単位フォームブロックを中心として対称する部分に位置したゾーン（ｚｏｎｅ）の単位フォームブロックが同一の硬度および弾性を有するようにすることで、フォームマットレスの位置を逆に変更して使用可能とする効果がある。
【図面の簡単な説明】
【００１６】
【図１】従来の技術による、３個の単位ブロックからなるスリーゾーン（３  ｚｏｎｅ）構造のウレタンマットレスを示した図である。
【図２】従来の技術による、５個の単位ブロックからなるファイブゾーン（５  ｚｏｎｅ）構造のマットレスの側面内部を示した図である。
【図３】従来の技術による、５個の単位ブロックからなるファイブゾーン（５  ｚｏｎｅ）構造のマットレスの側面内部を示した図である。
【図４】従来の他の技術による、５個の単位ブロックからなるファイブゾーン（５  ｚｏｎｅ）構造の多硬度・多弾性マットレスを示した斜視図である。
【図５】従来の他の技術による、７個の単位ブロックからなるセブンゾーン（７  ｚｏｎｅ）構造のマットレスを示した斜視図である。
【図６】本発明の一実施形態による、連続発泡工程により製造された多硬度・多弾性フォームマットレスの内部側面を示した図である。
【図７】本発明の一実施形態による連続発泡工程により多硬度・多弾性フォームマットレスを製造する工程を示したフローチャートである。
【図８】本発明の一実施形態による連続発泡工程により多硬度・多弾性フォームマットスを製造する過程を示した図である。
【図９】本発明の一実施形態による連続発泡工程により多硬度・多弾性フォームマットレスを製造する過程を示した側面図である。
【発明を実施するための形態】
【００１７】
右側の端部に、ノズル２０から噴射される発泡液５０が成形プレート１０の外部に流れ落ちないようにするために、発泡液５０が流れる方向に沿って遮断壁７０を設けてもよい。
【００１８】
離型紙積層ステップ（Ｐ３００）は、前記成形プレート１０の上部に離型紙４０を積層するステップであって、各ノズル２０ａ〜２０ｇから噴射される、それぞれ異なる多硬度・多弾性フォームを形成させる発泡液が、互いに混合せずに円滑に流れるようにする作用を果たす。
【００１９】
発泡液噴射ステップ（Ｐ４００）は、前記ノズル１０から噴射される発泡液５０の移動速度に対応して、離型紙４０が成形プレート１０の他側端部の方向に移動する発泡液噴射ステップであって、各ゾーン（ｚｏｎｅ）毎にそれぞれ異なる多硬度・多弾性フォームが形成されるようにする。
【００２０】
前記離型紙４０は、図８および図９に示されたように、ノズルが配置された成形プレート１０の位置で、ノズル１０から噴射される発泡液５０が離型紙４０の上部に円滑に積層されるように、成形プレート１０の他側端部に装着された巻取り手段（不図示）により、ノズル１０から噴射される発泡液５０の移動速度に応じて成形プレート１０の他側端部の方向に移動される。
【００２１】
この場合、複数個の各ノズル２０ａ〜２０ｇから噴射される噴射液は、図６に示されたように、フォームマットレス１００のｄゾーン（ｚｏｎｅ）に配置される単位フォームブロック６０ｄを中心として、ｃおよびｅ領域のゾーン（ｚｏｎｅ）に対向配置される単位フォームブロック６０ｃと単位フォームブロック６０ｅの弾性と硬度を同一にし、ｂおよびｆ領域のゾーン（ｚｏｎｅ）に対向配置される単位フォームブロック６０ｂと単位フォームブロック６０ｆの弾性と硬度を同一にし、ａおよびｇ領域のゾーン（ｚｏｎｅ）に対向配置される単位フォームブロック６０ａと単位フォームブロック６０ｇの弾性と硬度を同一にすることができるように、それぞれ異なる多硬度・多弾性フォームを形成させる発泡液を各ノズル２０ａ〜２０ｇに注入して噴射する。
【００２２】
発泡成形ステップ（Ｐ５００）は、複数個の単位フォームブロック６０が、それぞれ異なる多硬度・多弾性を有する複数個のゾーン（ｚｏｎｅ）を成して一体型に形成されるように発泡成形するステップである。上記のステップにおいて、発泡成形は、発泡液の種類に応じて、常温で３〜２０分間放置すると発泡フォームが形成されてフォームマットレス１００の形態に成形され、各領域（ａ〜ｇ）のゾーン（ｚｏｎｅ）毎にそれぞれ異なる多硬度・多弾性を有する複数個の単位フォームブロック６０ａ〜６０ｇが一体型に成形された多硬度・多弾性フォームマットレス１００が製造される。
【００２３】
この際、前記複数個の単位フォームブロック６０はポリウレタンフォームからなり、前記複数個の単位フォームブロック６０は５個〜９個であることが好ましく、単位フォームブロックが構成するゾーン（ｚｏｎｅ）の個数が必ずしも上記で限定したゾーン（ｚｏｎｅ）の個数に制限されるものではない。
【００２４】
上記における発泡成形時間が上記で限定した時間未満である場合には、フォームマットレスが十分に発泡成形されない恐れがあり、上記で限定した時間を超える場合には、生産性が低下する問題が発生する恐れがある。
【００２５】
特に、本発明により製造される多硬度・多弾性フォームマットレス１００は、 長さ方向に沿って中央部に位置した単位フォームブロック６０のゾーン（ｚｏｎｅ）を中心として、フォームマットレス１００の長さ方向に沿って左右に配列されたそれぞれ異なる硬度および弾性を有する単位フォームブロックのうち、互いに対向して対称する部分に位置したゾーン（ｚｏｎｅ）の単位フォームブロック６０が、同一の硬度および弾性を有するように構成されることを特徴とする。
【００２６】
したがって、本発明による多硬度・多弾性フォームマットレス１００は、連続発泡工程により製造することで、製造方法を単純化させることができるため、製造コストおよび販売単価を低減するとともに、マットレスの強固性および寿命を増加させることを特徴とする。
【００２７】
参照に、本発明による多硬度・多弾性フォームマットレス１００は、各領域ａ〜ｇのゾーン（ｚｏｎｅ）毎にそれぞれ異なる多硬度・多弾性を有する複数個の単位フォームブロック６０ａ〜６０ｇで構成され、このような単位フォームブロックは、ＬＲ（Ｌｏｗ  Ｒｅｓｉｌｉｅｎｃｅ  ｆｏａｍ）、ＭＲ（Ｍｅｄｉｕｍ  Ｒｅｓｉｌｉｅｎｃｅ  ｆｏａｍ）、ＨＲ（Ｈｉｇｈ  Ｒｅｓｉｌｉｅｎｃｅ  ｆｏａｍ）の１つ以上の硬度を設定して製造する。
【００２８】
上記において、各等級毎の弾性体の硬度範囲は、例えば、ショアＦ（Ｓｈｏｒｅ  Ｆ）硬度を基準として、ＬＲ（Ｌｏｗ  Ｒｅｓｉｌｉｅｎｃｅ  ｆｏａｍ）は１５〜２５、ＭＲ（Ｍｅｄｉｕｍ  Ｒｅｓｉｌｉｅｎｃｅ  ｆｏａｍ）は３５〜５０、ＨＲ（Ｈｉｇｈ  Ｒｅｓｉｌｉｅｎｃｅ  ｆｏａｍ）は２５〜３５と区分可能であり、弾性は、反発弾性（ｂａｌｌ  ｒｅｂｏｕｎｄ）数値を基準として、ＬＲは５〜１０％、ＭＲは１０〜１５％、ＨＲは５０〜７０％であることが好ましい。しかし、前記各等級における弾性体の硬度範囲が必ずしも上記の数値に限定されるものではなく、製造者の必要または需要者の要求に応じて適切に調整可能である。
【００２９】
前記単位フォームブロックは、単位フォームブロック（６０ａおよび６０ｇ、６０ｂおよび６０ｆ、６０ｃおよび６０ｅ）を互いに対向して対称に一定間隔離隔させ、人がマットレスに寝ている時の体圧分散領域を考慮して適宜配置する。
【００３０】
前記の通り本発明の実施形態に係る連続発泡工程による多硬度・多弾性フォームマットレスの製造方法、およびその方法により製造されるフォームマットレスは、フォームマットレスの製造方法が簡単であって生産性が高く、フォームマットレスの耐久性に優れて最適の体圧分散と体型維持の効果が実現され、筋電図を低めて血流を改善することができ、熟眠の維持、筋肉の柔軟性の確保、骨格の理想的形態の維持に寄与し、特に、フォームマットレスの単位フォームブロックの個数が５個〜９個であることが好ましく、フォームマットレスの長さ方向に沿って中央部に位置した単位フォームブロックを中心として対称する部分に位置したゾーン（ｚｏｎｅ）の単位フォームブロックが同一の硬度および弾性を有するようにすることで、フォームマットレスの位置を逆に変更して使用可能とする効果がある。
【００３１】
以上、添付図面に基づき、本発明の実施形態に係る連続発泡工程による多硬度・多弾性フォームマットレスの製造方法、およびその方法により製造されるフォームマットレスについて説明したが、これは単なる例示に過ぎず、本発明の技術的思想を逸脱しない範囲内において種々の変形及び変更が可能であるということはこの分野における通常の技術者にとって自明である。
【００３２】
本発明は、連続発泡工程により複数個の単位フォームブロックが一体型に形成される多硬度・多弾性フォームマットレスの製造方法において、成形プレート１０の一側端部に複数個のノズル２０を配置するステップと、前記成形プレート１０に配置された各ノズル２０の間に分離壁３０を設置するステップと、前記成形プレート１０の上部に離型紙４０を積層するステップと、前記ノズル１０から噴射される発泡液５０の移動速度に対応して、離型紙４０が成形プレート１０の他側端部の方向に移動する発泡液噴射ステップと、複数個の単位フォームブロック６０が、それぞれ異なる多硬度・多弾性を有する複数個のゾーン（ｚｏｎｅ）を成して一体型に形成されるように発泡成形するステップと、を含んで構成されることを特徴とする連続発泡工程による多硬度・多弾性フォームマットレスの製造方法を発明の実施のための形態とする。
【００３３】
また、本発明は、前記連続発泡工程による多硬度・多弾性フォームマットレスの製造方法によって連続発泡工程により前記複数個の単位フォームブロック６０が一体型に成形されて製造されることを特徴とする多硬度・多弾性フォームマットレスを発明の実施のための他の形態とする。
【産業上の利用可能性】
【００３４】
本発明は、硬度および弾性がそれぞれ異なるポリウレタンフォームからなる複数個の単位フォームブロックが連続発泡工程によりフォームマットレスの長さ方向に沿って一体型に形成されたフォームマットレスを成形することで、フォームマットレスの製造方法が簡単であって生産性が高いため、産業上の利用可能性が高いと期待される。
【図１】
2019528800.tif 000003
【図２】
2019528800.tif 000004
【図３】
2019528800.tif 000005
【図４】
2019528800.tif 000006
【図５】
2019528800.tif 000007
【図６】
2019528800.tif 000008
【図７】
2019528800.tif 000009
【図８】
2019528800.tif 000010
【図９】
2019528800.tif 000011
【国際調査報告】
2019528800.tif 000012
2019528800.tif 000013
2019528800.tif 000014
2019528800.tif 000015